【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
沿面放電を緩和する方法であって、
金属コンポーネントに絶縁プライマーを適用するステップ、及び
金属コンポーネントに隣接する炭素繊維強化プラスチック（ＣＦＲＰ）コンポーネントに絶縁プライマーを断続的に適用することにより複数のプライム部分と少なくとも一つの非プライム部分とを形成するステップ
を含み、少なくとも一つの非プライム部分は静電気の放散を可能にする、方法。
【請求項２】
絶縁プライマーを断続的に適用するステップが、金属コンポーネントに部分的に隣接する少なくとも一つの非プライム部分を形成することを含む、請求項１に記載の方法。
【請求項３】
絶縁プライマーを断続的に適用するステップが、第１の長辺を有する第１非プライム部分と、第２の長辺を有する第２非プライム部分とを形成することを含み、第１長辺と第２長辺の間を、長さ方向に沿って１インチ以上２．２５インチ以下だけ離間させる、請求項１に記載の方法。
【請求項４】
絶縁プライマーを断続的に適用するステップが、第３の非プライム部分を形成することを含み、第３非プライム部分を、第１長辺と第２長辺の間で終止させる、請求項３に記載の方法。
【請求項５】
絶縁プライマーを断続的に適用するステップが、複数のプライム部分に隣接する一対の長辺を有する少なくとも一つの非プライム部分を形成することを含む、請求項１に記載の方法。
【請求項６】
絶縁プライマーを断続的に適用するステップが、複数のプライム部分に隣接するほぼ平行な一対の長辺を有する少なくとも一つの非プライム部分を形成することを含む、請求項１に記載の方法。
【請求項７】
絶縁プライマーを断続的に適用するステップが、複数のプライム部分に隣接する一対の長辺を有する少なくとも一つの非プライム部分を形成することを含み、ほぼ平行な長辺の間を約０．２３インチ以上０．２７インチ以下だけ離間させる、請求項１に記載の方法。
【手続補正２】
【補正対象書類名】明細書
【補正対象項目名】００３３
【補正方法】変更
【補正の内容】
【００３３】
本発明によるシステム及び方法の実施形態は、先行技術を凌駕する有意な利点を提供することができる。金属コンポーネントに隣接する炭素繊維強化プラスチック（ＣＦＲＰ）コンポーネントに対する絶縁プライマーの断続的な適用は、流電による腐食を緩和すると同時に、静電気を地面に逃がすことにより、静電気が蓄積する可能性を低下させることができる。したがって、静電気の蓄積及び望ましくない沿面放電は低減されるか又は排除される。
ここまで、本発明の実施形態について例示及び説明したが、本発明の理念及び範囲から逸脱することなく、多数の変更を加えることができる。例えば、表１及び２に記載の種々の寸法及び幅は、様々な形態の炭素繊維強化プラスチック（ＣＦＲＰ）、様々な種類の絶縁プライマー、又は様々な静電気放散機構に応じて適切に調節することができる。したがって、本発明の範囲はこれら実施形態によって制限されない。そうではなく、本発明の全体の範囲は請求の範囲において決定される。
また、本発明は以下に記載する態様を含む。
（態様１）
沿面放電を緩和する方法であって、
金属コンポーネントに絶縁プライマーを適用するステップ、及び
金属コンポーネントに隣接する炭素繊維強化プラスチック（ＣＦＲＰ）コンポーネントに絶縁プライマーを断続的に適用することにより複数のプライム部分と少なくとも一つの非プライム部分とを形成するステップ
を含み、少なくとも一つの非プライム部分は静電気の放散を可能にする、方法。
（態様２）
絶縁プライマーを断続的に適用するステップが、金属コンポーネントに部分的に隣接する少なくとも一つの非プライム部分を形成することを含む、態様１に記載の方法。
（態様３）
金属コンポーネントに絶縁プライマーを適用するステップが、アルミニウムコンポーネントにプライマーを適用することを含む、態様１に記載の方法。
（態様４）
絶縁プライマーを断続的に適用するステップが、第１の長辺を有する第１非プライム部分と、第２の長辺を有する第２非プライム部分とを形成することを含み、第１長辺と第２長辺の間を、長さ方向に沿って１インチ以上２．２５インチ以下だけ離間させる、態様１に記載の方法。
（態様５）
絶縁プライマーを断続的に適用するステップが、第３の非プライム部分を形成することを含み、第３非プライム部分を、第１長辺と第２長辺の間で終止させる、態様４に記載の方法。
（態様６）
絶縁プライマーを断続的に適用するステップが、複数のプライム部分に隣接する一対の長辺を有する少なくとも一つの非プライム部分を形成することを含む、態様１に記載の方法。
（態様７）
絶縁プライマーを断続的に適用するステップが、複数のプライム部分に隣接するほぼ平行な一対の長辺を有する少なくとも一つの非プライム部分を形成することを含む、態様１に記載の方法。
（態様８）
絶縁プライマーを断続的に適用するステップが、複数のプライム部分に隣接する一対の長辺を有する少なくとも一つの非プライム部分を形成することを含み、ほぼ平行な長辺の間を約０．２３インチ以上０．２７インチ以下だけ離間させる、態様１に記載の方法。
（態様９）
絶縁プライマーを適用するステップが、第１の対の長辺を有する第１非プライム部分と、第２の対の長辺を有する第２非プライム部分とを形成することを含み、第１非プライム部分を、第１の対の長辺が第２の対の長辺と交差する地点で終止させる、態様１に記載の方法。
（態様１０）
絶縁プライマーを適用するステップが、第１の対の長辺を有する第１の非プライム部分と、第２の対の長辺を有する第２の非プライム部分とを形成することを含み、第１の非プライム部分を、第１の対の長辺と第２の対の長辺との交差点から約１インチに亘るようにする、態様１に記載の方法。
（態様１１）
沿面放電を緩和する方法であって、
金属コンポーネントに絶縁プライマーを適用するステップ、
金属コンポーネントに隣接する炭素繊維強化プラスチック（ＣＦＲＰ）コンポーネントに一又は複数の静電気放散機構を設けるステップ、並びに
ＣＦＲＰコンポーネントに絶縁プライマーを断続的に適用し、少なくとも一つのプライム部分と少なくとも一つの非プライム部分とを形成するステップであって、少なくとも一つのプライム部分を静電気放散機構の隣に配置するステップ
を含み、絶縁プライマーが、少なくとも金属コンポーネントの流電による腐食を防ぐように構成される、方法。
（態様１２）
絶縁プライマーを断続的に適用するステップが、静電気放散機構から約２．２５インチ以下だけ延びる少なくとも一つのプライム部分を形成することを含む、態様１１に記載の方法。
（態様１３）
絶縁プライマーを断続的に適用するステップが、金属コンポーネントから約１．７５インチだけ延びる少なくとも一つのプライム部分を形成することを含む、態様１１に記載の方法。
（態様１４）
絶縁プライマーを断続的に適用するステップが、複数のプライム部分と少なくとも一つの非プライム部分を形成することを含み、各プライム部分が、隣接するプライム部分から、何らかの非プライム部分により少なくとも０．２５インチだけ分離される、態様１１に記載の方法。
（態様１５）
金属コンポーネントに絶縁プライマーを適用するステップが、アルミニウムコンポーネントに絶縁プライマーを適用することを含む、態様１１に記載の方法。
（態様１６）
一又は複数の静電気放散機構を設けるステップが、プライマーでコーティングされた金属コンポーネント、ｋコードファスナー、コーティングされていないファスナー、及び０．２５インチの最小断面を有するＣＦＲＰコンポーネントの非プライム部分のうちの一つを含む、態様１１に記載の方法。
（態様１７）
絶縁プライマーを断続的に適用するステップが、金属コンポーネントから少なくとも約１．０インチ、且つ静電気放散機構から約２．２５インチ以内に延びる、少なくとも一つのプライム部分を形成することを含む、態様１１に記載の方法。
（態様１８）
胴体、
胴体に操作可能に連結された翼、
胴体及び翼の少なくとも一方の内部に配置された金属コンポーネント、
金属コンポーネントに隣接して配置された炭素繊維強化プラスチック（ＣＦＲＰ）コンポーネント、並びに
燃料コンテインメント表面上に断続的に配置されて複数のプライム部分と少なくとも一つの非プライム部分とを形成する絶縁プライマー
を備えた航空機であって、少なくとも一つの非プライム部分が静電気の放散を可能にする、航空機。
（態様１９）
少なくとも一つの非プライム部分の一部が金属コンポーネントに隣接している、態様１８に記載の航空機。
（態様２０）
ＣＦＲＰコンポーネントが燃料コンテインメント表面を含む、態様１８に記載の航空機。